(57)【特許請求の範囲】
【請求項１】
平面矩形形状の複数の建物ユニットを組み合わせて建物本体が形成され、この建物本体の周縁軒天部分に沿って形成されるユニット式建物の軒天構造であって、
前記軒天構造は、前記建物ユニットの辺の長さに対応した共通パネルと、前記共通パネルを連結する連結パネルと、これら共通パネルおよび連結パネルの下面に張られた天井材とを含んで構成され、
前記共通パネルは、単一の長さが前記建物ユニットの短辺に略相当する長さ寸法を有する単位パネルと、互いに異なる長さでこれらを一列に連結したときの全長長さが前記建物ユニットの長辺に略相当する長さ寸法を有する複数枚の単位パネルとを含んで構成され、
前記連結パネルは、隣接する前記建物ユニット間で前記共通パネルを直線的に連結するジョイントパネルと、前記建物ユニットの角隅部に配置されて前記共通パネルを直角に連結する出隅部パネルと、隣接する前記建物ユニットにより形成される入隅部に配置されて前記共通パネルを直角に連結する入隅部パネルとを備え、
前記共通パネルは、矩形の枠体と、この枠体の両短辺上に取り付けられた接続材とを含んで構成され、
前記ジョイントパネルは、隣接する前記共通パネル間に挟まれる直方体形状のブロック材と、このブロック材の上面に固定され両側下面が前記共通パネルの接続材に当接される係止板とを含んで構成され、このジョイントパネルと前記共通パネルとは、前記共通パネルの枠体の下側から前記接続材を介して前記係止板まで挿通されたビスにより接続固定され、
前記出隅部パネルおよび入隅部パネルは、Ｌ字状に屈曲したＬ字状枠体と、このＬ字状枠体の両端部の辺上に取り付けられた接続材とを含んで構成され、この出隅部パネルおよび入隅部パネルと前記共通パネルとは、それぞれの接続材同士がビスにより接続固定されている、
ことを特徴とするユニット式建物の軒天構造。
【請求項２】
請求項１に記載したユニット式建物の軒天構造において、前記建物ユニットは所定間隔を隔てて隣接配置され、前記ジョイントパネルは、隣接する前記建物ユニット同士の間隔に対応する長さ寸法を有することを特徴とするユニット式建物の軒天構造。
【発明の詳細な説明】
【０００１】
【発明の属する技術分野】
本発明は、ユニット式建物の軒天構造に関し、詳しくは、平面矩形形状の複数の建物ユニットを組み合わせて構築されるユニット式建物の軒天構造に関する。
【０００２】
【背景技術】
近年、工業化率を高めて建設現場での施工期間を短縮するために、複数の建物ユニットを予め工場で製造し、これらを建設現場で組み合わせて建物を構築するユニット工法が用いられている。
このようなユニット工法によって建てられるユニット式建物は、例えば、図１に示すように、基礎１９上に隣接配置された複数の建物ユニット１１により構成される建物本体１０と、この建物本体１０の中央から周縁部に向かって傾斜した屋根部２０とを含んで構成されている。
建物本体１０を構成する建物ユニット１１は、通常、図示しない四本の柱とこれらの柱間を連結する梁とを含む平面矩形形状の骨組みを有し、この骨組みに対して内壁や床材等の各種部材が取り付けられて形成される。
【０００３】
一方、屋根部２０は、図２に示すように、上階を構成する建物ユニット１１上に傾斜して固定される屋根パネル２１を含んで構成されている。この屋根パネル２１は、その下端が建物本体１０の周縁から突出するように配置される。
この屋根パネル２１の突出した部分は軒先部２１Ａとされ、その下面側には、軒天２２が形成されている。
従来、このようなユニット式建物１の軒天２２は、建設現場において、軒先部２１Ａの下側に野縁材を一本ずつ格子状に組み付けて、その下面に天井材を張ることにより形成されていた。
【０００４】
【発明が解決しようとする課題】
しかし、従来の軒天２２は、その施工作業が全て高所での上向き作業であるため作業性が悪いうえに、その組立てや設置を全て建設現場で行うことになるので、建設現場での作業が煩雑であるという問題があった。
このような問題を解消するために、野縁材を予め枠状に組んでパネル化したものを軒先部２１Ａの下に設置し、このパネルの下面に天井材を張ることが考えられる。しかし、ユニット式建物１の形状や軒先部２１Ａの長さ等に応じてパネルを形成しなければならないため、パネルの種類が膨大になり、製造や管理が複雑化するという問題が生じる。
【０００５】
本発明の目的は、部材の種類を抑制しつつ建設現場での設置作業を簡略化できるユニット式建物の軒天構造を提供することにある。
【０００６】
【課題を解決するための手段】
本発明は、図面を参照して説明すると、平面矩形形状の複数の建物ユニット１１を組み合わせて建物本体１０が形成され、この建物本体１０の周縁軒天部分に沿って形成されるユニット式建物の軒天構造であって、
前記軒天構造は、前記建物ユニット１１Ａ〜１１Ｅの辺の長さに対応した共通パネル３１と、前記共通パネル３１を連結する連結パネル３２と、これら共通パネル３１および連結パネル３２の下面に張られた天井材とを含んで構成され、
前記共通パネル３１は、単一の長さが前記建物ユニットの短辺に略相当する長さ寸法を有する単位パネルと、互いに異なる長さでこれらを一列に連結したときの全長長さが前記建物ユニットの長辺に略相当する長さ寸法を有する複数枚の単位パネルとを含んで構成され、
前記連結パネル３２は、隣接する前記建物ユニット１１Ａ〜１１Ｅ間で前記共通パネル３１を直線的に連結するジョイントパネル３３と、前記建物ユニット１１Ａ，１１Ｃ，１１Ｄ，１１Ｅの角隅部に配置されて前記共通パネル３１を直角に連結する出隅部パネル３４と、隣接する前記建物ユニット１１Ｃ，１１Ｄにより形成される入隅部３５に配置されて前記共通パネル３１を直角に連結する入隅部パネル３５とを備え、
前記共通パネル３１は、矩形の枠体４１と、この枠体４１の両短辺上に取り付けられた接続材４２とを含んで構成され、
前記ジョイントパネル３３は、隣接する前記共通パネル３１間に挟まれる直方体形状のブロック材４３と、このブロック材４３の上面に固定され両側下面が前記共通パネル３１の接続材４２に当接される係止板４４とを含んで構成され、このジョイントパネル３３と前記共通パネル３１とは、前記共通パネル３１の枠体４１の下側から前記接続材４２を介して前記係止板４４まで挿通されたビス４５により接続固定され、
前記出隅部パネル３４および入隅部パネル３５は、Ｌ字状に屈曲したＬ字状枠体４６と、このＬ字状枠体４６の両端部の辺上に取り付けられた接続材４２とを含んで構成され、この出隅部パネル３４および入隅部パネル３５と前記共通パネル３１とは、それぞれの接続材４２同士がビス４５により接続固定されている、ことを特徴とする。
【０００７】
本発明によれば、共通パネル３１により建物ユニット１１Ａ〜１１Ｅの辺１２Ａ，１２Ｂに沿った軒天３０の直線的な部分のほとんどを構成し、連結パネル３２により軒天３０の共通パネル３１では対応できない形状の部分を構成できるようになる。
従って、建設現場では、共通パネル３１と連結パネル３２とを組み合わせて設置するだけでよくなり、野縁材を一本ずつ組み付ける手間を省略できるので、建設現場での設置作業を簡略化できる。
また、共通パネル３１が建物ユニット１１Ａ〜１１Ｅの辺１２Ａ，１２Ｂの長さに対応しているため、建物ユニット１１Ａ〜１１Ｅの辺１２の長さの種類に応じたものだけ製造すればよくなり、共通パネル３１の種類が膨大化することがないので、その製造および管理を簡単に行うことができる。
これらにより、前記目的が達成される。
【００１３】
また、連結パネル３２には、ジョイントパネル３３と出隅部パネル３４と入隅部パネル３５とが含まれているため、ユニット式建物１の出隅部１５における共通パネル３１の連結には出隅部パネル３４を用い、入隅部１６における連結には入隅部パネル３５を用い、直線的な連結にはジョイントパネル３３を用いることにより、建物ユニット１１Ａ〜１１Ｅの形状や配置、屋根部の形状等により軒天３０の形状が多様化しても少ない種類のパネルで対応することができる。
【００１４】
さらに、前記建物ユニット１１Ａ〜１１Ｅは所定間隔を隔てて隣接配置され、前記ジョイントパネル３３は、隣接する前記建物ユニット１１Ａ〜１１Ｅ同士の間隔に対応する長さ寸法Ｍを有することが望ましい。
【００１５】
このように、ジョイントパネル３３の長さ寸法Ｍを建物ユニット１１Ａ〜１１Ｅ同士の間隔に対応させれば、ユニット式建物１全体でジョイントパネル３３が一種類で済むようになり、その製造や管理を簡略化できる。
【００１６】
【発明の実施の形態】
以下、本発明の一実施形態を図３〜図９に基づいて説明する。
なお、以下の説明にあたって、前述した図１および図２と同じ構成要素については同一符号を付し、その説明を省略もしくは簡略化する。
図３には、本実施形態のユニット式建物１の軒天構造が示されている。
【００１７】
ユニット式建物１の建物本体１０の上階部分は、短辺方向に並べて配置された建物ユニット１１Ａ，１１Ｂ，１１Ｃと、各建物ユニット１１Ａ，１１Ｂの長辺方向に並べて配置された建物ユニット１１Ｅ，１１Ｄとを含んで構成されている。
このような建物ユニット１１Ａ〜１１Ｅの配置により、ユニット式建物１の出隅部１５は建物ユニット１１Ａ，１１Ｃ，１１Ｄ，１１Ｅの角隅部により構成され、入隅部１６は建物ユニット１１Ｃ，１１Ｄにより形成される。
【００１８】
建物本体１０の周縁には、その全周にわたって軒天３０が形成されている。
軒天３０は、建物本体１０の周縁を構成する建物ユニット１１Ａ〜１１Ｅの辺１２Ａ，１２Ｂの長さに対応した共通パネル３１と、共通パネル３１を連結する連結パネル３２と、これらの共通パネル３１および連結パネル３２の下面に張られた図示しない天井材とを含んで構成されている。
【００１９】
共通パネル３１は、各建物ユニット１１Ａ〜１１Ｅの辺１２Ａ，１２Ｂに沿って配置されている。
これらの共通パネル３１のうち、建物ユニット１１Ａ〜１１Ｅの短辺１２Ｂに沿って配置される共通パネル３１Ａは同じものである。
また、建物ユニット１１Ａ，１１Ｃの長辺１２Ａに沿って配置される共通パネル３１Ｂは、２枚の単位パネル３１１，３１２により構成され、この単位パネル３１２は、建物ユニット１１Ｅの長辺１２Ａに沿って配置される共通パネル３１Ｄと同じものである。建物ユニット１１Ｄの長辺１２Ａに沿って配置される共通パネル３１Ｃは、単位パネル３１１，３１３により構成されている。
図４に示すように、共通パネル３１（単位パネル３１１，３１２，３１３）は、格子状の矩形の枠体４１と、この枠体４１の両短辺上に取り付けられた接続材４２とを含んで構成されている。
【００２０】
図３に戻って、連結パネル３２には、隣接する建物ユニット１１Ａ〜１１Ｅ間で共通パネル３１を直線的に連結するジョイントパネル３３と、各出隅部１５に配置されて共通パネル３１を直角に連結する出隅部パネル３４と、入隅部１６に配置されて共通パネル３１を直角に連結する入隅部パネル３５とが用いられている。
【００２１】
ジョイントパネル３３は、建物ユニット１１Ａと建物ユニット１１Ｂ、建物ユニット１１Ｂと建物ユニット１１Ｃ，建物ユニット１１Ｄと建物ユニット１１Ｅ，建物ユニット１１Ｅと建物ユニット１１Ａの間にそれぞれ配置されている。
図５に示すように、ジョイントパネル３３は、直方体形状のブロック材４３と、このブロック材４３の上面に固定された係止板４４によりＴ字状に形成されている。
このようなジョイントパネル３３は、図６に示すように、隣接する共通パネル３１間にそのブロック材４３が挟まれた状態で固定されている。ジョイントパネル３３の係止板４４の下面は共通パネル３１の接続材４２に当接され、枠体４１の下側から接続材４２を介して係止板４４まで挿通されたビス４５等により、ジョイントパネル３３と共通パネル３１とが接続固定されている。
【００２２】
図７に示すように、出隅部パネル３４は、Ｌ字状に屈曲したＬ字枠体４６と、このＬ字枠体４６の両端部の辺上に取り付けられた接続材４２とを備えている。
このような出隅部パネル３４は、図８に示すように、互いの端面を当接させた状態で共通パネル３１に接続されている。出隅部パネル３４と共通パネル３１の各接続材４２同士、および枠体４１とＬ字枠体４６の端部同士は、ビス４５等により相互に接続固定されている。
入隅部パネル３５は、この出隅部パネル３４と略同じ構造を有し、共通パネル３１との接続も出隅部パネル３４と同様である。
【００２３】
一方、図９に一部を示すように、各建物ユニット１１Ａ〜１１Ｅには、各辺１２Ａ，１２Ｂに沿って内壁モジュール芯ＭＩが仮想設定されている。この内壁モジュール芯ＭＩは、その内壁モジュール芯ＭＩに沿って、図示しない内壁を配置可能な位置に設定されている。
各建物ユニット１１Ａ〜１１Ｅは、隣接する内壁モジュール芯ＭＩの間隔が２Ｐ（2／8モジュール＝２ピッチ）となるように隣接配置されている。ここで、モジュールは規定寸法（例えば910mm）であり、このモジュールに基づいて各建物ユニット１１Ａ〜１１Ｅの寸法が規定されている。なお、本実施形態の建物ユニット１１Ａ〜１１Ｃの長辺１２Ａ（内壁モジュール芯ＭＩ間）の寸法は６モジュールであり、建物ユニット１１Ｄ，１１Ｅの長辺１２Ａの寸法は４モジュールである。
【００２４】
内壁モジュール芯ＭＩ内には、短辺方向に短辺グリッド群GSが１Ｐ（1／8モジュール＝１ピッチ）間隔で仮想設定されるとともに、長辺方向に長辺グリッド群GLが１Ｐ（1／8モジュール）間隔で仮想設定されている。なお、図９に示されている長辺グリッド群GLは、４Ｐ（4／8モジュール）間隔のものである。
【００２５】
共通パネル３１は、建物ユニット１１Ａ〜１１Ｅの辺１２Ａ，１２Ｂのグリッド寸法に対応する長さ寸法Ｌ（図４参照）を備えている。
例えば、建物ユニット１１Ａの短辺１２Ｂの寸法は19グリッドであり、この短辺１２Ｂに沿って配置される共通パネル３１Ａの長さ寸法Ｌは19グリッドとされている。
【００２６】
また、２枚の単位パネル３１１，３１２または３１１，３１３からなる共通パネル３１Ｂ，３１Ｃは、各単位パネル３１１，３１２，３１３がグリッドに対応する長さ寸法を有し、これにより、共通パネル３１Ｂ，３１Ｃの各長さ寸法Ｌが辺１２Ａ，１２Ｂのグリッド寸法に対応している。
例えば、単位パネル３１１，３１２の長さ寸法Ｌ1，Ｌ2 は、それぞれ16グリッドおよび32グリッドとされ、共通パネル３１Ｂの長さ寸法Ｌは48グリッドとなり、長辺１２Ａの長さである48グリッドと同じ寸法になっている。
【００２７】
ジョイントパネル３３のブロック材４３は、隣接する建物ユニット１１Ａ〜１１Ｅ間で対向する内壁モジュール芯ＭＩ間の間隔と同じ２Ｐ（2／8モジュール）の長さ寸法Ｍを有する（図５および図６参照）。この長さ寸法Ｍは、各建物ユニット１１Ａ〜１１Ｅ間における共通パネル３１同士の間隔と同じ寸法になっている。
【００２８】
このように構成された本実施形態では、予め、各建物ユニット１１Ａ〜１１Ｅの辺１２Ａ，１２Ｂの長さに対応した各種共通パネル３１と、これらの共通パネル３１を連結するためのジョイントパネル３３、出隅部パネル３４および入隅部パネル３５を用意しておき、建設現場において、これらのパネル３１，３３，３４，３５を軒先部２１Ａ（図２参照）の下側に設置し、その下面に天井材を張ることにより、軒天３０を施工する。
【００２９】
このような本実施形態によれば、以下のような効果がある。
すなわち、軒天３０は、建物ユニット１１Ａ〜１１Ｅの辺１２Ａ，１２Ｂの長さに対応した共通パネル３１と、共通パネル３１を連結する連結パネル３２とを含んで構成されているため、共通パネル３１により、建物ユニット１１Ａ〜１１Ｅの辺１２Ａ，１２Ｂに沿った軒天３０の直線的な部分のほとんどを構成し、連結パネル３２により、軒天３０の共通パネル３１では対応できない形状の部分を構成できるようになる。
【００３０】
従って、共通パネル３１と連結パネル３２とを組み合わせて設置することにより軒天３０を施工できるようになり、野縁材を一本ずつ組み付ける手間を省略でき、建設現場での設置作業を簡略化できる。
また、共通パネル３１が建物ユニット１１Ａ〜１１Ｅの辺１２Ａ，１２Ｂの長さに対応しているため、建物ユニット１１Ａ〜１１Ｅの辺１２Ａ，１２Ｂの長さの種類に応じたものだけ製造すればよくなり、共通パネル３１の種類が膨大化することがないので、その製造および管理を簡単に行うことができる。
【００３１】
さらに、共通パネル３１は、建物ユニット１１Ａ〜１１Ｅの辺１２Ａ，１２Ｂのグリッド寸法に対応する長さ寸法Ｌを有するため、共通パネル３１の長さ寸法Ｌを１グリッドの整数倍で設定できるようになり、共通パネル３１の設計や製造を簡単に行うことができる。
また、同じグリッド寸法の短辺１２Ｂを有する建物ユニット１１Ａ〜１１Ｅで、短辺１２Ｂ側に配置する共通パネル３１Ａを共通化できる。
【００３２】
さらに、単位パネル３１１は、建物ユニット１１Ａ，１１Ｃ，１１Ｄの長辺１２Ａに配置される共通パネル３１Ｂ，３１Ｃを構成し、単位パネル３１２は建物ユニット１１Ａ，１１Ｃ，１１Ｅの長辺１２Ａに沿って配置される共通パネル３１Ｂ，３１Ｃ，３１Ｄを構成しているため、単位パネル３１１，３１２を建物ユニット１１Ａ，１１Ｃ，１１Ｄ，１１Ｅで共通化できるようになり、パネルの製造や管理を簡単に行うことができる。
【００３３】
また、連結パネル３２には、ジョイントパネル３３と出隅部パネル３４と入隅部パネル３５とが含まれているため、共通パネル３１の出隅部１５における連結には出隅部パネル３４を用い、入隅部１６における連結には入隅部パネル３５を用い、直線的な連結にはジョイントパネル３３を用いることにより、建物ユニット１１Ａ〜１１Ｅの形状や配置、屋根部２０の形状等により軒天３０の形状が多様化しても少ない種類の連結パネル３２で対応することができる。
【００３４】
さらに、ジョイントパネル３３のブロック材４３は、隣接する建物ユニット１１Ａ〜１１Ｅ同士の間隔と同じ２Ｐ（2／8モジュール）の長さ寸法Ｍを有するため、ジョイントパネル３３が一種類で済むようになり、その製造や管理を簡略化できる。
【００３５】
なお、本発明は前記実施形態に限定されるものではなく、本発明の目的を達成できる他の構成等を含み、以下に示すような変形なども本発明に含まれる。
すなわち、前記実施形態では、共通パネル３１の長さ寸法Ｌは、グリッド寸法に対応していたが、建物ユニット１１Ａ〜１１Ｅの辺１２Ａ，１２Ｂの長さ寸法と同じとしてもよい。このとき、ジョイントパネル３３のブロック材４３の長さ寸法Ｍは、隣接する建物ユニットの間隔と同じにして、出隅部パネル３４を矩形とすることが好ましい。
【００３６】
また、グリッド群GS，GLの間隔は、前記実施形態で設定した１Ｐ間隔に限らず、任意の間隔に設定してもよい。
さらに、各共通パネル３１や単位パネル３１１，３１２，３１３の長さ寸法は、前記実施形態で述べた寸法に限らず、実施にあたって適宜任意の寸法に設定すればよい。
また、建物ユニット１１Ａ〜１１Ｅの数や配置も前記実施形態のものに限らず、例えば、入隅部のない直方体状に建物ユニットが配置されていてもよい。さらに、屋根部１２の形状も寄棟に限らず、例えば、切妻屋根等であってもよく、軒先部を有する屋根部であれば、その形状は任意である。
【００３７】
【発明の効果】
以上に述べたように、本発明によれば、共通パネルにより、建物ユニットの辺に沿った軒天の直線的な部分のほとんどを構成し、連結パネルにより、軒天の共通パネルでは対応できない形状の部分を構成できるようになる。
従って、建設現場で野縁材を組み付ける手間を省略でき、共通パネルと連結パネルとを組み合わせて設置するだけでよくなり、建設現場での設置作業を簡略化できる。
また、共通パネルが建物ユニットの辺の長さに対応しているため、建物ユニットの辺の長さの種類に応じたものだけ製造すればよくなり、共通パネルの種類が膨大化することがないので、その製造および管理を簡単に行うことができる。
【図面の簡単な説明】
【図１】従来のユニット式建物を示す斜視図。
【図２】従来の軒天を示す断面図。
【図３】本発明の一実施形態を示す平面模式図。
【図４】前記実施形態の共通パネルを示す斜視図。
【図５】前記実施形態のジョイントパネルを示す斜視図。
【図６】図３のVI−VI線断面図。
【図７】前記実施形態の出隅部パネルを示す斜視図。
【図８】図３のVIII−VIII線断面図。
【図９】前記実施形態の建物ユニットおよび軒天を示す拡大平面図。
【符号の説明】
１  ユニット式建物
１１  建物ユニット
３０  軒天
３１  共通パネル
３１１，３１２，３１３  単位パネル
３２  連結パネル
３３  ジョイントパネル
３４  出隅部パネル
３５  入隅部パネル
GS，GL  グリッド群
【図１】
0003756983.tif 000002
【図２】
0003756983.tif 000003
【図３】
0003756983.tif 000004
【図４】
0003756983.tif 000005
【図５】
0003756983.tif 000006
【図６】
0003756983.tif 000007
【図７】
0003756983.tif 000008
【図８】
0003756983.tif 000009
【図９】
0003756983.tif 000010